(57)【要約】【課題】再生レート変換後フレーム位置を所定の同期時点に精度高く一致させる。【解決手段】第１フレームレートを有する第１映像信号を、第２フレームレートを有する第２映像信号に変換する映像再生レート変換装置であって、第１映像信号として、その信号中に第２フレームレートのフレームデータが一部重複された形態で順次配置された映像信号を取り扱う映像再生レート変換装置において、再生器３で再生された第１映像信号を記憶器９で一次記憶したのち記憶器９から読み出される第１映像信号を変換器１０で第２映像信号に変換する。その際、位相補正制御器６は、再生器３が再生を開始する記録媒体ＶＴ上の位置の調整と記憶器９から第１映像信号を読み出す時点の遅延調整とを行う。これにより、変換器１０により第１映像信号から変換されて出力される第２映像信号の任意のフレーム位置を所定の同期時点に一致させる。【選択図】　図１
2004147109.tif 000002
【特許請求の範囲】
【請求項１】
第１フレームレートを有する第１映像信号を、第２フレームレートを有する第２映像信号に変換する映像再生レート変換装置であって、前記第１映像信号として、その信号中に前記第２フレームレートのフレームデータが一部重複された形態で順次配置された映像信号を取り扱う映像再生レート変換装置において、
前記第１映像信号が記録された記録媒体を再生する再生器と、
前記再生器で再生された前記第１映像信号を一次記憶する記憶器と、
前記記憶器から読み出される前記第１映像信号を前記第２映像信号に変換する変換器と、
前記再生器が再生を開始する記録媒体上の位置の調整と前記記憶器から前記第１映像信号を読み出す時点の遅延調整とに基づいて、前記変換器により第１映像信号から変換されて前記変換器から出力される前記第２映像信号の任意のフレーム位置を所定の同期時点に一致させる同期調整器と、
を有することを特徴とする映像再生レート変換装置。
【請求項２】
請求項１に記載の映像再生レート変換装置において、
前記同期調整器は、
前記再生器による前記記録媒体の再生開始位置を、前記再生開始位置が前記第１フレームレートのフレーム単位で規定される調整ピッチで前記同期時点に近づくように粗調整する再生調整部と、
前記記憶器に一次記憶された前記第１映像信号の読み出しタイミングを、前記変換器により第１映像信号から変換されて出力される前記第２映像信号の任意のフレーム位置が前記同期時点に一致するように遅延微調整する読み出し調整部と、
を有することを特徴とする映像再生レート変換装置。
【請求項３】
請求項２に記載の映像再生レート変換装置において、
前記第１映像信号は、６０フレーム／秒のフレームレートを有する信号であり、　前記再生調整部は、前記記録媒体の再生開始位置を、前記第１フレームレートの２フレームピッチで前記同期時点に近づかせる粗調整を実施するものである、
ことを特徴とする映像再生レート変換装置。
【発明の詳細な説明】
【０００１】
【発明の属する技術分野】
本発明は、第１フレームレートを有する第１映像信号を、第２フレームレートを有する第２映像信号に変換する映像再生レート変換装置に関する。特に、第１映像信号として、その信号中に第２フレームレートのフレームデータが一部重複された形態で順次配置された第１映像信号を前記第２映像信号に変換する映像再生レート変換装置に関する。
【０００２】
【従来の技術】
従来から、フレームレートが変換された映像信号として、その信号中にフレームレート変換前の映像信号のフレームデータが一部重複された形態で順次配置された状態でフレームレート変換された映像信号がある。（例えば、特許文献１参照）
【０００３】
【特許文献１】
特開平１−４９３８８号公報（第２−３頁、第１図）
【０００４】
【発明が解決しようとする課題】
このようにしてフレームレート変換された映像信号を第１映像信号（第１フレームレートを有している）とし、元の映像信号を第２映像信号（第２フレームレートを有している）とする。この場合、第１映像信号を第２映像信号に逆変換することがある。このような逆変換は、従来、次のように実施される。
【０００５】
まず、第１映像信号が記録された記録媒体が再生器で再生される。再生された第１映像信号は映像フォーマット変換器に入力されてここで第２映像信号に変換される。変換処理は次のように実施される。第１映像信号中に一部重複された形態で順次配置された前記第２フレームレートのフレームデータの中かから有効となるフレームデータが選択的に取り出される。そして、取り出された第２フレームレートのフレームデータが第２フレームレートに沿って順次読み出されることで第２映像信号に変換される。
【０００６】
しかしながら、従来の変換構成では、第２映像信号の任意のフレーム位置を所定の同期時点に精度高く一致させることができないという課題がある。これは、次のような理由によっている。
【０００７】
従来の変換構成においては、変換後における第２映像信号のフレーム位相は、記録媒体上における第１映像信号の再生開始点を前後に移動させることで調整される。このようにして変換後の第２映像信号のフレーム位相を調整する構成において第２映像信号の任意のフレーム位置を所定の同期時点に一致させるためには、第１映像信号の再生開始点を１フレームより短い時間間隔で微調整する必要がある。
【０００８】
しかしながら、第１映像信号の再生開始点の移動は、再生可能な最小単位でしか行うことができない。さらには、通常、第１映像信号で再生可能な最小単位は第１映像信号のフレーム単位となるうえ、第１映像信号は、１／３０秒単位で記録媒体に格納されている、もしくは１／３０秒単位で圧縮処理されたのち記録媒体に記録されている。そのため、第１映像信号を再生可能な最小単位は２フレーム（時間にして１／３０秒＝１／６０秒（１フレーム時間）×２）となる。
【０００９】
このように、微小単位で調整することができない第１映像信号の再生開始点の移動に基づいて実施される従来の第２映像信号の位相調整では、第２映像信号の任意のフレーム位置を所定の同期時点に精度高く一致させることができない。
【００１０】
したがって、本発明の主たる目的は、再生レート変換後の任意のフレーム位置を所定の同期時点に精度高く一致させることができる映像再生レート変換装置を提供することである。
【００１１】
【課題を解決するための手段】
上述した目的を達成するために本発明は、第１フレームレートを有する第１映像信号を、第２フレームレートを有する第２映像信号に変換する映像再生レート変換装置であって、前記第１映像信号として、その信号中に前記第２フレームレートのフレームデータが一部重複された形態で順次配置された映像信号を取り扱う映像再生レート変換装置において、
前記第１映像信号が記録された記録媒体を再生する再生器と、
前記再生器で再生された前記第１映像信号を一次記憶する記憶器と、
前記記憶器から読み出される前記第１映像信号を前記第２映像信号に変換する変換器と、
前記再生器が再生を開始する記録媒体上の位置の調整と前記記憶器から前記第１映像信号を読み出す時点の遅延調整とに基づいて、前記変換器により第１映像信号から変換されて前記変換器から出力される前記第２映像信号の任意のフレーム位置を所定の同期時点に一致させる同期調整器と、
を有している。これにより、前記再生器が再生を開始する記録媒体上の位置の調整ではどうしても生じてしまう第２映像信号の任意のフレーム位置と所定の同期時点との間の位置誤差は、記憶器による第１映像信号の読み出し開始時点の遅延調整により精度高く調整されることになる。
【００１２】
なお、前記同期調整器は、具体的には次のように構成することができる。すなわち、同期調整器は、
前記再生器による前記記録媒体の再生開始位置を、前記再生開始位置が前記第１フレームレートのフレーム単位で規定される調整ピッチで前記同期時点に近づくように粗調整する再生調整部と、
前記記憶器に一次記憶された前記第１映像信号の読み出しタイミングを、前記変換器により第１映像信号から変換されて出力される前記第２映像信号の任意のフレーム位置が前記同期時点に一致するように遅延微調整する読み出し調整部と、
を有して構成される。
【００１３】
また、前記第１映像信号は、６０フレーム／秒のフレームレートを有する信号であり、前記再生調整部は、前記記録媒体の再生開始位置を、前記第１フレームレートの２フレームピッチで前記同期時点に近づかせる粗調整を実施するものである場合において、本発明は顕著な効果を奏することができる。
【００１４】
【発明の実施の形態】
以下に説明する本発明の一実施の形態では、次のような場合を想定して本発明が実施される。
【００１５】
２４フレーム／秒のプログレッシプ映像信号（以下、２４ｐ映像信号という）に対して、フレームレートを上げる一次変換が実施されることで、６０フレーム／秒のプログレッシブ映像信号（以下、６０ｐ映像信号という）が生成される場合を想定する。この場合、一次変換後の映像信号（６０ｐ映像信号）を構成するフレームデータとして、元の映像信号（２４ｐ映像信号）を構成するフレームデータが重複して配置される。具体的には、元の映像信号（２４ｐ映像信号）の１フレーム分のフレームデータが一次変換後の映像信号（６０ｐ映像信号）の２フレーム分のフレームデータとして重複配置されるデータ領域と前記１フレーム分のフレームデータが３フレーム分のフレームデータとして重複配置されるデータ領域とを一組とするデータ領域組が、繰り返し配列されており、このようなデータ配列を行うことで上記一次変換が実施される。
【００１６】
このような一次変換が実施された映像信号（６０ｐ映像信号）を、元の映像信号（２４ｐ映像信号）に逆変換する場合において、本発明を好適に実施することができる。なお、この場合、一次変換後の映像信号（６０ｐ映像信号）が第１映像信号に相当し、そのフレームレート（６０フレーム／秒）が第１フレームレートに相当する。そして、逆変換後の元の映像信号（２４ｐ映像信号）が第２映像信号に相当し、そのフレームレート（２４フレーム／秒）が第２フレームレートに相当する。
【００１７】
まず、本実施形態の映像再生レート変換装置の構成が説明される。図１は、本実施形態の映像再生レート変換装置１の構成を示すブロック図である。
【００１８】
この映像再生レート変換装置１は、２４Ｈｚ同期基準信号発生器２と、再生器３と、有効フレーム情報検出器４と、２４Ｈｚ位相比較器５と、位相補正制御器６と、有効フレーム基準信号発生器７と、メモリ９と、映像フォーマット変換器１０とを備えている。
【００１９】
２４Ｈｚ同期基準信号発生器２は、装置１の外部から供給される２４Ｈｚ同期信号Ｓ２４から２４Ｈｚ同期基準信号Ｓｓ２４を生成する。２４Ｈｚ同期基準信号発生器２は、２４Ｈｚ同期基準信号Ｓｓ２４を再生器３と２４Ｈｚ位相比較器５とに出力する。
【００２０】
再生器３は、一次変換後の映像信号（６０ｐ映像信号）が収録されたビデオテープＶＴを再生する。具体的には、再生器３は、６０Ｈｚ同期基準信号発生器２０と、再生器本体２１と、６０Ｈｚ位相比較器２２と、再生制御器２３とを備えている。再生器本体２１は、一次変換後の映像信号（６０ｐ映像信号）が収録されたビデオテープＶＴを再生する。６０Ｈｚ同期基準信号発生器２０は、２４Ｈｚ同期基準信号Ｓｓ２４に同期する６０Ｈｚ同期基準信号Ｓｓ６０を生成する。６０Ｈｚ同期基準信号発生器２０は、６０Ｈｚ同期基準信号Ｓｓ６０を６０Ｈｚ位相比較器２２に出力する。６０Ｈｚ位相比較器２２は、再生器本体２１で再生される一次変換後の映像信号（６０ｐ映像信号）から６０Ｈｚ同期基準信号Ｓｓ６０を取り出す操作と、取り出した６０Ｈｚ同期信号と６０Ｈｚ同期基準信号発生器２０から入力される６０Ｈｚ同期基準信号Ｓｓ６０との比較操作とを実施する。６０Ｈｚ位相比較器２２は、比較結果を再生制御器２３に出力する。再生制御器２３は、６０Ｈｚ位相比較器２２から供給される比較結果に基づいて再生器本体２１の再生動作等を制御する。
【００２１】
有効フレーム情報検出器４は再生器３で再生される一次変換後の映像信号（６０ｐ映像信号）から有効フレーム情報を取り出して有効フレーム情報検出信号Ｆｖを作成する。２４Ｈｚ位相比較器５は、有効フレーム情報検出器４が作成した有効フレーム情報検出信号Ｆｖと、２４Ｈｚ基準同期信号発生器２が出力する２４Ｈｚ基準同期信号Ｓｓ２４との位相を比較して、その比較結果を位相補正制御器６に出力する。
【００２２】
メモリ９は、再生器３から出力される一次変換後の映像信号（６０ｐ映像信号）を一時記憶する。有効フレーム基準信号発生器７は、有効フレーム情報検出器４が作成した有効フレーム情報検出信号Ｆｖから有効フレーム基準信号Ｆｓを発生させて映像フォーマット変換器１０に出力する。
【００２３】
位相補正制御器６は、再生位置調整部６ａと、読み出し調整部６ｂとを備えている。再生位置調整部６ａは、２４Ｈｚ位相器５から供給される比較結果に基づいて再生制御器２３を制御する。具体的には、再生位置調整部６ａは、再生器本体２１によるビデオテープＶＴの早送り動作や巻き戻し動作等を実施することでビデオテープＶＴの再生開始位置の制御を行う。読み出し調整部６ｂは、２４Ｈｚ位相比較器５から供給される比較結果に基づいてメモリ９の読み出しタイミングの遅延時間制御を行う。
【００２４】
映像フォーマット変換器１０は、メモリ９から読み出される一次変換後の映像信号（６０ｐ映像信号）を、有効フレーム基準信号Ｆｓに基づいて元の映像信号（２４ｐ映像信号）に逆変換する。
【００２５】
このような構成を有する映像再生レート変換装置１では、再生器３から再生器が構成され、メモリ９から記憶器が構成され、映像フォーマット変換器１０から変換器が構成され、位相補正制御器６から同期調整器が構成され、再生位置調整部６ａから再生調整部が構成され、読み出し調整部６ｂから読み出し調整部が構成され、有効フレーム情報検出器４から有効フレーム情報検出器が構成され、有効フレーム基準信号発生器７から有効フレーム基準信号発生器が構成されている。
【００２６】
以下、この映像再生レート変換装置１の動作を説明する。本実施形態のように、２４ｐ映像信号が６０ｐ映像信号に一次変換されている場合には、図２（ａ）に示すように、通常、２４ｐ映像信号の１フレーム分のフレームデータが６０ｐ映像信号の複数フレームのフレームデータとして重複配置される。なお、図２（ａ）では、各区画が６０ｐ映像信号の各フレーム領域を示し、各区画に記入された数字が２４ｐ映像信号の各フレームデータの通し番号を示している。
【００２７】
本実施形態では、このような重複配置処理が、次のようにして実施される。この映像変換処理では、６０Ｈｚ同期基準信号Ｓｓ６０に基づいて、
・２４ｐ映像信号の１フレーム分のフレームデータが６０ｐ映像信号の２フレーム分のフレームデータとして重複配置される第１の処理と、
・２４ｐ映像信号の１フレーム分のフレームデータが６０ｐ映像信号の３フレーム分のフレームデータとして重複配置される第２の処理と、
を一組とする一連の処理が順次実施されており、このような一連の処理の繰り返し実施により上記重複配置処理が実施される。
【００２８】
一次変換後の映像信号（６０ｐ映像信号）には、図２（ａ）に示すように、有効フレーム情報が添付されている。有効フレーム情報は次のような情報である。有効フレーム情報は、一次変換後の映像信号（６０ｐ映像信号）中に重複配置されている２４ｐ映像信号のフレームデータのうちで、２４ｐ映像信号を構成するフレームデータとして有効と規定するものを特定する情報である。有効フレーム情報は、例えば、タイムコード情報内に設けられたユーザーズビット（使用者が情報を書き込むことができるデータエリア）内に別途記録領域を設けて記録することができる。図２（ａ）では、有効フレーム情報は、各フレームを示す数字を○で囲むことで示しており、さらには、有効フレーム情報によって有効と規定された各フレームは、着色されて他のフレームと区別されている。
【００２９】
図２（ａ）においては、有効フレーム情報は、次のように設定されている。すなわち、２フレームが重複して配置されているデータ領域では各重複箇所の１フレーム目に有効フレーム情報が付与され、３フレームが重複して配置されているデータ領域では各重複箇所の２フレーム目に有効フレーム情報が付与されている。しかしながら、これは一例であって、２フレーム重複箇所、３フレーム重複箇所ともに、１フレーム目に有効フレーム情報が付与されていてもよい。要は、重複しているフレームのいずれかに有効フレーム情報が付与されていればよい。
【００３０】
映像再生レート変換装置１の動作に際しては、まず、ビデオテープＶＴが再生される。再生に際して再生器本体２１は、ビデオテープＶＴの事前再生を行う。そして、再生器本体２１は、事前再生によりビデオテープＶＴから採取した映像信号を有効フレーム情報検出器４に出力する。有効フレーム情報検出器４は、一次変換後の映像信号（６０ｐ映像信号）から有効フレーム情報を検出する。有効フレーム情報検出器４は、検出した有効フレーム情報を元にして図２（ｂ）に示すように、有効フレーム情報検出信号Ｆｖを作成して出力する。有効フレーム情報検出信号Ｆｖは、有効フレームと規定されたフレーム位置だけ他のフレーム位置とは異なる信号形態を有している。図２（ｂ）は、その例であって、有効フレーム位置だけＨｉｇｈとなっている。有効フレーム情報検出器４は、事前再生に基づいて作成した有効フレーム情報検出信号Ｆｖを２４Ｈｚ位相比較器５に出力する。
【００３１】
２４Ｈｚ位相比較器５は、２４Ｈｚ同期基準信号発生器２から供給される２４Ｈｚ同期基準信号Ｓｓ２４と、有効フレーム情報検出器４から供給される有効フレーム情報検出信号Ｆｖとの位相を比較してその比較結果を、再生位置調整部６ａと読み出し調整部６ｂとに出力する。再生位置調整部６ａと読み出し調整部６ｂとは、入力される２４Ｈｚ位相比較器５の比較結果を記憶する。
【００３２】
再生位置調整部６ａは、２４Ｈｚ位相比較器５から入力されて記憶した比較結果に基づいて再生位置調整信号Ｇを作成して、その再生位置調整信号Ｇを再生制御器２３に出力する。
【００３３】
再生制御器２３は、再生位置調整部６ａから入力される再生位置調整信号Ｇに基づいて再生器本体２１の早送り／巻き戻し動作等を実施する。これにより、再生器本体２１に装填されたビデオテープＶＴ上の再生開始点がテープ上の任意の位置に調整される。テープ位置調整は次のことを実施するために行われる。
【００３４】
すなわち、後に実施する映像フォーマット変換器１０によるフォーマット変換（逆変換）では、その変換処理に所定の時間がかかる。本実施形態の映像再生レート変換装置１の場合には、６０ｐ映像信号にして５フレーム分（＝１／１２秒）だけ、映像フォーマット変換器１０は処理時間を要する。
【００３５】
そこで、映像再生レート変換装置１は、映像フォーマット変換器１０から出力される元の映像信号（２４ｐ映像信号）の任意のフレーム位置（例えば、変換開始フレーム位置）を同期時点に同期させるために、ビデオテープＶＴのテープ位置調整処理と、メモリ９の読み出し遅延時間調整処理とを実施している。ここで、同期時点とは、次のようなタイミングをいう。
【００３６】
一次変換後の映像信号（６０ｐ映像信号）のフレームレート周波数と、逆変換後の映像信号（２４ｐ映像信号）のフレームレート周波数とは次のようにして同期している。すなわち、両映像信号のフレームレート周波数を同期させる（タイムコードの毎秒００カウントにおいて互いのフレームレート周波数が同期する）場合には、一次変換後の映像信号（６０ｐ映像信号）の５フレーム間隔（１／６０秒×５＝１／１２秒）と、逆変換後の映像信号（２４ｐ映像信号）の２フレーム間隔（１／２４秒×２＝１／１２秒）とにおいて、互いのフレームレート周波数が同期する。したがって、任意のＸ秒においては、Ｘ＋０／１２秒，Ｘ＋１／１２秒，Ｘ＋２／１２秒，Ｘ＋３／１２秒，…Ｘ＋１１／１２秒において、両映像信号のフレームレート周波数は同期する。このように、両映像信号のフレームレート周波数が同期する時点（ｔ０／１２，ｔ１／１２，ｔ２／１２，ｔ３／１２，…ｔ１１／１２、以下、総称してｔｘ／１２と称す）を同期時点という。
【００３７】
両映像信号のフレームレート周波数が上述した同期時点ｔｘ／１２でしか同期しないため、逆変換後の映像信号（２４ｐ映像信号）の任意のフレームデータは、同期時点ｔｘ／１２においてのみ、一次変換後の映像信号（６０ｐ映像信号）に同期させることができる。このような特性を有する同期時点ｔｘ／１２に、逆変換後の映像信号（２４ｐ映像信号）の任意のフレームデータを同期させるべく、映像再生レート変換装置１は、まず再生器本体２１でのテープ位置調整を実施し、その後、メモリ９の読み出し遅延時間調整を実施する。
【００３８】
しかしながら、再生器本体２１でのテープ位置調整はフレーム画像の再生が可能な最小単位でしか実施することができないうえに、映像信号は１／３０秒単位で記録媒体に格納されていることから、そのテープ位置調整は、２フレーム単位（１／３０秒単位）でしか実施することができない。そのため、再生器本体２１によるテープ位置調整では、フレーム単位時間より時間的に微小なテープ位置調整を実施することができない。
【００３９】
このような理由により、再生器本体２１によるテープ位置調整では、フォーマット変換で作成される逆変換後の映像信号（２４ｐ映像信号）の任意のフレーム位置（例えば、変換開始フレーム位置）を同期時点ｔｘ／１２に正確に一致させることができない。このことを考慮して再生器本体２１によるテープ位置調整は、テープ再生後に実施されるフォーマット変換で作成される逆変換後の映像信号（２４ｐ映像信号）の任意のフレーム位置（例えば、変換開始フレーム位置）が同期時点ｔｘ／１２より時間的に若干早くなるように実施される。これは、読み出し調整部６ｂで実施されるメモリ９からの読み出し遅延時間調整処理を可能とするためになされる処理である。読み出し調整部６ｂで実施されるメモリ９からの読み出し遅延時間調整処理についての詳細は後述するが、ここでは、再生位置調整部６ａの動作の理解を深めるために、その概略を説明する。
【００４０】
再生された一次変換後の映像信号（６０ｐ映像信号）を一次記憶するメモリ９においては、その読み出し時に遅延をかけることで、メモリ９から出力される一次変換後の映像信号（６０ｐ映像信号）の位相を微小に調整することができる。このような出力位相の微小調整を実施するに際して遅延時間は、次のようにして算定される。
【００４１】
上述したように、再生器本体２１によるテープ位置調整においては、微小なテープ位置調整を実施することができない。そのため再生器本体２１によるテープ位置調整だけでは、フォーマット変換で作成される逆変換後の映像信号（２４ｐ映像信号）の任意のフレーム位置（例えば、変換開始フレーム位置）を所定の同期時点に正確に一致させることはできない。
【００４２】
そこで、映像再生レート変換装置１では、テープ位置調整だけでは埋めることができない逆変換後の映像信号（２４ｐ映像信号）の任意のフレーム位置と任意の同期時点との間の上記誤差を、メモリ９の読み出しタイミングの遅延時間を調整することで解消させている。メモリ９の読み出し遅延時間の設定は、任意のフレーム位置と任意の同期時点との間の上記誤差を解消しうる値に設定される。また、メモリ９のメモリ容量は、一時変換後の映像信号（６０ｐ映像信号）に対してこのような遅延処理を実施することができる容量に設定されている。
【００４３】
一方、メモリ９の読み出し遅延調整による同期調整を可能にするために、再生器本体２１によるテープ位置調整は次のように実施される。すなわち、テープ再生後に実施されるフォーマット変換で作成される２４ｐ映像信号の任意のフレーム位置（例えば、変換開始フレーム位置）が任意の同期時点より時間的に若干早くなるように再生器本体２１によるテープ位置調整は実施される。
【００４４】
再生位置調整部６ａによるビデオテープＶＴの再生開始点調整処理が終了すると、再生器本体２１はビデオテープＶＴの本再生を開始する。再生器本体２１で本再生された一次変換後の映像信号（６０ｐ映像信号）は、メモリ９に入力されてここで一時記憶される。
【００４５】
その際、有効フレーム情報検出器４は、再生された一次変換後の映像信号（６０ｐ映像信号）から有効フレーム情報を取り出す。有効フレーム情報検出器４は、検出した有効フレーム情報を元にして図２（ｂ）に示す有効フレーム情報検出信号Ｆｖを作成する。有効フレーム情報検出器４は、本再生に基づいて作成した有効フレーム情報検出信号Ｆｖを有効フレーム基準信号発生器７に出力する。
【００４６】
有効フレーム基準信号発生器７は、有効フレーム情報検出器４から供給される有効フレーム情報検出信号Ｆｖに基づいて有効フレーム基準信号Ｆｓを作成する。有効フレーム基準信号発生器７は、作成した有効フレーム基準信号Ｆｓを映像フォーマット変換器１０に出力する。
【００４７】
有効フレーム基準信号Ｆｓは、次のような信号である。すなわち、一次変換後の映像信号（６０ｐ映像信号）においては、図２（ａ）に示すように、２フレーム重複配置された２フレーム領域と、３フレーム重複配置された３フレーム領域との組合せからなる５フレーム領域が順次配置されている。有効フレーム基準信号Ｆｓは、図２（ｃ）に示すように、一次変換後の映像信号（６０ｐ映像信号）を構成する基本単位である上記５フレーム領域の先頭位置（具体的には、２フレーム重複領域の先頭位置）を選択的に他のフレーム領域とは異なる信号形態（例えば、ここだけＨＩＧＨ状態）としたパルス信号である。
【００４８】
一方、メモリ９に一時記憶された一次変換後の映像信号（６０ｐ映像信号）は、読み出し調整部６ｂによって読み出し制御される。読み出し調整部６ｂは、予め設定して記憶している２４Ｈｚ位相比較器５の比較結果に応じた読み出し遅延時間だけ遅延させてメモリ９から一次変換後の映像信号（６０ｐ映像信号）を読み出す。メモリ９から読み出された一次変換後の映像信号（６０ｐ映像信号）は映像フォーマット変換器１０に供給されてここで元の映像信号（２４ｐ映像信号）に逆変換される。
【００４９】
このとき、映像フォーマット変換器１０は、有効フレーム基準信号発生器７から供給される有効フレーム基準信号Ｆｓに基づいて一次変換後の映像信号（６０ｐ映像信号）を元の映像信号（２４ｐ映像信号）に逆変換処理する。
【００５０】
逆変換処理は、例えば次のように実施される。映像フォーマット変換器１０は、まず、一次変換後の映像信号（６０ｐ映像信号）中にある全てのフレームデータから有効フレームと規定されるフレームデータを特定して抜き出す。特定に際しては、有効フレーム基準信号Ｆｓを特定の基準点にする。具体的には、有効フレーム基準信号ＦｓがＨＩＧＨとなった時点のフレームデータと、ＨＩＧＨとなった時点から３フレーム後に位置するフレームデータとを有効フレームとして特定して抜き出す。そして、抜き出した一次変換後の映像信号（６０ｐ映像信号）のフレームデータを元の映像信号（２４ｐ映像信号）のフレームレートに沿って順次配置することで映像フォーマット変換器１０は逆変換を実施する。
【００５１】
このような逆変換処理動作を行う映像再生レート変換装置１において、上述したビデオテープＶＴの再生位置調整処理と、メモリ９から一次変換後の映像信号（６０ｐ映像信号）を読み出す際の遅延処理とにより、逆変換後の映像信号（２４ｐ映像信号）の任意のフレーム位置（例えば、変換開始フレーム位置）を同期時点ｔｘ／１２に正確に一致させる。
【００５２】
次に、映像再生レート変換装置１による再生レート変換（フォーマット変換）の詳細を図３〜図５を参照して説明する。なお、図４，図５において黒く塗られた三角形は、以下の説明における基準位置となる有効フレーム基準信号Ｆｓの一つを示している。
【００５３】
一次変換後の映像信号（６０ｐ映像信号）を構成する各フレームデータは、同期時点ｔｘ／１２に対して次のような位置関係を有している。すなわち、一次変換後の映像信号（６０ｐ映像信号）においては、図２（ａ）に示すように、データ領域組（計５フレーム）Ｄが順次繰り返し配置されている。データ領域組Ｄは、データ領域ｄ１とデータ領域ｄ２とを組み合わせて構成されている。
【００５４】
データ領域ｄ１は、元の映像信号（２４ｐ映像信号）の１フレーム分のフレームデータが一次変換後の映像信号（６０ｐ映像信号）の２フレーム分のフレームデータとして重複配置されたデータ領域である。データ領域ｄ２は、前記１フレーム分のフレームデータが３フレーム分のフレームデータとして重複配置されるデータ領域である。
【００５５】
データ領域組Ｄがこのように構成されているため、同期時点ｔｘ／１２が、このデータ領域組Ｄ内のどの時点を横切るかにより、図３（ａ）〜図３（ｅ）に示す５パターンが存在する。図３（ａ）は、同期時点ｔｘ／１２がデータ領域組Ｄの両端を横切るバターンである。図３（ｂ）は、同期時点ｔｘ／１２がデータ領域組Ｄの端から１フレーム分時間的に進んだ位置を横切るパターンである。図３（ｃ）は、同期時点ｔｘ／１２がデータ領域組Ｄの端から２フレーム分時間的に進んだ位置を横切るパターンである。図３（ｄ）は、同期時点ｔｘ／１２がデータ領域組Ｄの端から３フレーム分時間的に進んだ位置を横切るパターンである。図３（ｅ）は、同期時点ｔｘ／１２がデータ領域組Ｄの端から４フレーム分時間的に進んだ位置を横切るパターンである。
【００５６】
２４Ｈｚ位相比較器５は、２４Ｈｚ同期基準信号Ｓｓ２４と有効フレーム情報とを比較することで、同期時点ｔｘ／１２が、事前再生している一時変換後の映像信号（６０ｐ映像信号）のどの時点を横切るかを判断する。これにより、２４Ｈｚ位相比較器５は、再生状態が図３（ａ）〜図３（ｅ）のどのパターンであるのかを示す比較結果を位相補正制御器６に供給する。
【００５７】
再生位置調整部６ａや読み出し調整部６ｂは、上述した２４Ｈｚ位相比較器５の比較結果に基づいて映像フォーマット変換器１０の出力である逆変換後の映像信号（２４ｐ映像信号）の位相を同期時点ｔｘ／１２に合わせ込む。
【００５８】
ここで、ＯＬＥ＿ＬＩＮＫ１逆変換後の映像信号（２４ｐ映像信号）ＯＬＥ＿ＬＩＮＫ１を同期時点ｔｘ／１２に同期させるには、上述したデータ領域ｄ１にある有効フレームを同期時点ｔｘ／１２に同期させることができる。また、データ領域ｄ２にある有効フレームを同期時点ｔｘ／１２に同期させることもである。同期対象を上記したどちらの場合にするかは、予め映像再生レート変換装置１に登録されている。
【００５９】
まず、データ領域ｄ１にある有効フレームを同期対象とする制御動作が図４（ａ）〜図４（ｅ）を参照して説明される。
【００６０】
同期時点ｔｘ／１２がデータ領域組Ｄの両端を横切る［図３（ａ）］の場合
この場合においては、図４（ａ）に示すように、初期テープ状態のままで、再生器本体２１によるテープ位置調整やメモリ９の遅延処理を行うことなく一時変換後の映像信号（６０ｐ映像信号）がメモリ９から出力される。そして、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ１の有効フレーム（番号１，３，…のフレームデータ）が同期時点ｔｘ／１２に同期する。
【００６１】
同期時点ｔｘ／１２がデータ領域組Ｄの端から１フレーム分時間的に進んだ位置を横切る［図３（ｂ）］の場合
この場合においては、図４（ｂ）に示すように、再生器本体２１によって６０ｐ映像信号の２フレーム分だけビデオテープＶＴを時間的に進める処理がなされたのち、メモリ９の読み出しを１フレーム分遅延させる処理が行われる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ１の有効フレーム（番号１，３，…のフレームデータ）が同期時点ｔｘ／１２に同期する。
【００６２】
同期時点ｔｘ／１２がデータ領域組Ｄの端から２フレーム分時間的に進んだ位置を横切る［図３（ｃ）］の場合
この場合においては、図４（ｃ）に示すように、再生器本体２１によって６０ｐ映像信号の２フレーム分だけビデオテープＶＴを時間的に進める処理がなされたのち、メモリ９の読み出しが遅延されないままとされる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ１の有効フレーム（番号１，３，…のフレームデータ）が同期時点ｔｘ／１２に同期する。
【００６３】
同期時点ｔｘ／１２がデータ領域組Ｄの端から３フレーム分時間的に進んだ位置を横切る［図３（ｄ）］の場合
この場合においては、図４（ｄ）に示すように、再生器本体２１によって６０ｐ映像信号の４フレーム分だけビデオテープＶＴを時間的に進める処理がなされたのち、メモリ９の読み出しを１フレーム分遅延させる処理が行われる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ１の有効フレーム（番号１，３，…のフレームデータ）が同期時点ｔｘ／１２に同期する。
【００６４】
同期時点ｔｘ／１２がデータ領域組Ｄの端から４フレーム分時間的に進んだ位置を横切る［図３（ｅ）］の場合
この場合においては、図４（ｅ）に示すように、再生器本体２１によって６０ｐ映像信号の４フレーム分だけビデオテープＶＴを時間的に進める処理がなされたのち、メモリ９の読み出しが遅延されないままとされる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ１の有効フレーム（番号１，３，…のフレームデータ）が同期時点ｔｘ／１２に同期する。
【００６５】
次に、データ領域ｄ２にある有効フレームを同期対象とする制御動作が図５（ａ）〜図５（ｅ）を参照して説明される。
【００６６】
同期時点ｔｘ／１２がデータ領域組Ｄの両端を横切る［図３（ａ）］の場合
この場合においては、図５（ａ）に示すように、再生器本体２１によって６０ｐ映像信号の４フレーム分だけビデオテープＶＴを時間的に進める処理がなされたのち、メモリ９の読み出しを１．５フレーム分遅延させる処理が行われる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ２の有効フレーム（番号２，４，…のフレームデータ）が同期時点ｔｘ／１２に同期する。
【００６７】
同期時点ｔｘ／１２がデータ領域組Ｄの端から１フレーム分時間的に進んだ位置を横切る［図３（ｂ）］の場合
この場合においては、図５（ｂ）に示すように、再生器本体２１によって６０ｐ映像信号の４フレーム分だけビデオテープＶＴを時間的に進める処理がなされたのち、メモリ９の読み出しを０．５フレーム分遅延させる処理が行われる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ２の有効フレーム（番号２，４，…のフレームデータ）が同期時点ｔｘ／１２に同期する。
【００６８】
同期時点ｔｘ／１２がデータ領域組Ｄの端から２フレーム分時間的に進んだ位置を横切る［図３（ｃ）］の場合
この場合においては、図５（ｃ）に示すように、再生器本体２１によって６０ｐ映像信号の６フレーム分だけビデオテープＶＴを時間的に進める処理がなされたのち、メモリ９の読み出しを１．５フレーム分遅延させる処理が行われる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ２の有効フレーム（番号２，４，…のフレームデータ）が同期時点ｔｘ／１２に同期する。
【００６９】
同期時点ｔｘ／１２がデータ領域組Ｄの端から３フレーム分時間的に進んだ位置を横切る［図３（ｄ）］の場合
この場合においては、図５（ｄ）に示すように、再生器本体２１によって６０ｐ映像信号の６フレーム分だけビデオテープＶＴを時間的に進める処理がなされたのち、ＯＬＥ＿ＬＩＮＫ２メモリ９の読み出しを０．５フレーム分遅延させる処理が行われる。ＯＬＥ＿ＬＩＮＫ２そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ２の有効フレーム（番号２，４，…のフレームデータ）が同期時点ｔｘ／１２に同期する。
【００７０】
同期時点ｔｘ／１２がデータ領域組Ｄの端から４フレーム分時間的に進んだ位置を横切る［図３（ｅ）］の場合
この場合においては、図５（ｅ）に示すように、再生器本体２１によって６０ｐ映像信号の８フレーム分だけビデオテープＶＴを時間的に進める処理がなれさたのち、メモリ９の読み出しを１．５フレーム分遅延させる処理が行われる。そして、このような一連の処理が実施されたのち、メモリ９から出力される一時変換後の映像信号（６０ｐ映像信号）が映像フォーマット変換器１０でフォーマット変換される。そうすれば、逆変換後の映像信号（２４ｐ映像信号）において、データ領域ｄ２の有効フレーム（番号２，４，…のフレームデータ）が同期時点ｔｘ／１２に同期する。
【００７１】
【発明の効果】
以上説明したように、本発明によれば、第２映像信号の任意のフレーム位置を所定の同期時点に精度高く一致させることができる。
【図面の簡単な説明】
【図１】本発明の一実施形態の映像再生レート変換装置の構成を示すブロック図である。
【図２】一時変換後の映像信号（６０ｐ映像信号）の構成と、有効フレーム情報検出信号Ｆｖと、有効フレーム基準信号Ｆｓの構成を示す図である。
【図３】一時変換後の映像信号（６０ｐ映像信号）の位相を示す図である。
【図４】逆変換時の状態のうちの一つを示す図である。
【図５】逆変換時の状態のもう一つを示す図である。
【符号の説明】
１　映像再生レート変換装置　　２　２４Ｈｚ同期基準信号発生器
３　再生器　　　　　４　有効フレーム情報検出器
５　２４Ｈｚ位相器　　　　６　位相補正制御器
７　有効フレーム基準信号発生器　　９　メモリ
１０　映像フォーマット変換器　　２０　６０Ｈｚ同期基準信号発生器
２１　再生器本体　　　　２２　６０Ｈｚ位相比較器
２３　再生制御器　　　　Ｆｖ　有効フレーム情報
Ｆｓ　有効フレーム基準信号　　Ｓｓ６０　６０Ｈｚ同期基準信号
Ｓｓ２４　２４Ｈｚ基準同期信号　　ｔｘ／１２　同期ポイント
Ｇ　再生位置調整信号　　　Ｄ　データ領域組
ｄ１　データ領域　　　　ｄ２データ領域
【図１】
2004147109.tif 000003
【図２】
2004147109.tif 000004
【図３】
2004147109.tif 000005
【図４】
2004147109.tif 000006
【図５】
2004147109.tif 000007